(57)【特許請求の範囲】
【請求項１】
第１楽音再生装置と、少なくとも一つの第２楽音再生装置とを備える楽音再生システムであって、
第１楽音再生装置は、第１通信手段と、第１楽曲再生手段と、第１記憶手段と、第１映像再生手段と、第１制御手段とを備え、
第１通信手段は、各第２楽音再生装置との通信を可能とし、
第１楽曲再生手段は、第１制御手段の制御に従って楽曲情報を再生し、
第１記憶手段は、複数の背景映像情報を記憶し、
第１映像再生手段は、第１制御手段の制御に従って第１記憶手段が記憶する背景映像情報を再生し、
第１制御手段は、第１再生処理を行うと共に、第１再生処理にて再生済みの背景映像情報が第１記憶手段にある場合には第１映像交換処理を行い、
第１再生処理は、指定された楽曲に対応する楽曲情報を第１楽曲再生手段によって再生すると共に、当該楽曲に対応する背景映像情報を第１映像再生手段によって再生し、
第１映像交換処理は、第１、第２処理からなり、
第１処理は、何れか一つの第２楽音再生装置に対して、第２再生処理にて再生済みの背景映像情報が第２記憶手段にあるか否かを第１通信手段によって問い合わせ、
第２処理は、第１処理にて再生済みの背景映像情報がある場合には、問い合わせ先の第２楽音再生装置との間で再生済みの背景映像情報の交換を行い、
各第２楽音再生装置は、第２通信手段と、第２楽曲再生手段と、第２記憶手段と、第２映像再生手段と、第２制御手段とを備え、
第２通信手段は、第１楽音再生装置との通信を可能とし、
第２楽曲再生手段は、第２制御手段の制御に従って楽曲情報を再生し、
第２記憶手段は、複数の背景映像情報を記憶し、
第２映像再生手段は、第２制御手段の制御に従って第２記憶手段が記憶する背景映像情報を再生し、
第２制御手段は、第２再生処理を行うと共に、第１楽音再生装置からの問い合わせに応じて、第２再生処理にて再生済みの背景映像情報が第２記憶手段にあるか否かを検索し、ある場合には第２映像交換処理を行い、
第２再生処理は、指定された楽曲に対応する楽曲情報を第２楽曲再生手段によって再生すると共に、当該楽曲に対応する背景映像情報を第２映像再生手段によって再生し、
第２映像交換処理は、第１楽曲再生装置との間で再生済みの背景映像情報の交換を行う楽音再生システム。
【請求項２】
第１映像交換処理は、再生済みの背景映像情報の数が所定数以上であるときに行われる請求項１に記載の楽曲再生システム。
【請求項３】
第２楽音再生装置を複数備え、
第２処理は、問い合わせ先の第２楽音再生装置に再生済みの背景映像情報がない場合、または、問い合わせ先の第２楽音再生装置との背景映像情報の交換ができない場合は、問い合わせ先を他の第２楽音再生装置に代えて第１処理に戻る請求項１に記載の楽音再生システム。
【発明の詳細な説明】
【０００１】
【発明の属する技術分野】
この発明は、楽音を再生する楽音再生装置が複数の部屋に備えられた楽音再生システムであって、各部屋にカラオケ装置が備えられたカラオケＢＯＸやレジャーホテルなどで用いるカラオケシステムとして好適なものに関する。
【０００２】
【従来の技術】
従来、上記カラオケシステムとしては、部屋に設置されたカラオケ装置と、曲データを保有するサーバーとが通信回線により接続されており、サーバーから曲データをカラオケ装置へ送信する、いわゆる通信カラオケシステムが知られている。
上記曲データは、曲の演奏部分を示すＭＩＤＩ(Musical Instrument Digital Interface)データ、歌詞テロップを示す歌詞テロップデータ、曲のジャンルを特定するジャンルデータなどから構成されており、ＭＩＤＩデータは、上記カラオケ装置に備えられたＭＩＤＩ音源、アンプおよびスピーカなどにより再生され、歌詞テロップデータは、歌詞テロップとしてモニタテレビに表示される。また、歌詞テロップの背景に表示される背景映像は、カラオケ装置に備えられたＣＤ−ＲＯＭプレーヤにより、上記ジャンルデータにより特定されるジャンルの背景映像の中から選択されてモニタテレビに表示される。
【０００３】
【発明が解決しようとする課題】
ところで、同じジャンルの曲を歌う際に、同じ背景映像が表示されては飽きが来る。このため、上記従来のカラオケ装置に備えられたＣＤ−ＲＯＭプレーヤでは、複数の背景映像が曲のジャンル毎に記憶されたＣＤ−ＲＯＭディスクを複数枚備え、その中から１つの背景映像をランダムに抽出して再生している。
しかし、複数の背景映像の中から１つの背景映像をランダムに抽出して再生するとしても、歌う曲数が多くなるにつれて、同じ背景映像が表示される頻度が高くなるため、飽きが来て、場の盛り上がりが低下するという問題がある。
【０００４】
そこで、本発明は、他のカラオケ装置に備えられた背景映像情報記憶手段に記憶された背景映像情報を通信手段を介して受信し再生することにより、再生できる背景映像情報の数を増加させることができる楽音再生システムの実現を目的とする。
【０００５】
【課題を解決するための手段】
本発明は、上記目的を達成するため、
請求項１に記載の発明では、第１楽音再生装置と、少なくとも一つの第２楽音再生装置とを備える楽音再生システムであって、
第１楽音再生装置は、第１通信手段と、第１楽曲再生手段と、第１記憶手段と、第１映像再生手段と、第１制御手段とを備え、
第１通信手段は、各第２楽音再生装置との通信を可能とし、
第１楽曲再生手段は、第１制御手段の制御に従って楽曲情報を再生し、
第１記憶手段は、複数の背景映像情報を記憶し、
第１映像再生手段は、第１制御手段の制御に従って第１記憶手段が記憶する背景映像情報を再生し、
第１制御手段は、第１再生処理を行うと共に、第１再生処理にて再生済みの背景映像情報が第１記憶手段にある場合には第１映像交換処理を行い、
第１再生処理は、指定された楽曲に対応する楽曲情報を第１楽曲再生手段によって再生すると共に、当該楽曲に対応する背景映像情報を第１映像再生手段によって再生し、
第１映像交換処理は、第１、第２処理からなり、
第１処理は、何れか一つの第２楽音再生装置に対して、第２再生処理にて再生済みの背景映像情報が第２記憶手段にあるか否かを第１通信手段によって問い合わせ、
第２処理は、第１処理にて再生済みの背景映像情報がある場合には、問い合わせ先の第２楽音再生装置との間で再生済みの背景映像情報の交換を行い、
各第２楽音再生装置は、第２通信手段と、第２楽曲再生手段と、第２記憶手段と、第２映像再生手段と、第２制御手段とを備え、
第２通信手段は、第１楽音再生装置との通信を可能とし、
第２楽曲再生手段は、第２制御手段の制御に従って楽曲情報を再生し、
第２記憶手段は、複数の背景映像情報を記憶し、
第２映像再生手段は、第２制御手段の制御に従って第２記憶手段が記憶する背景映像情報を再生し、
第２制御手段は、第２再生処理を行うと共に、第１楽音再生装置からの問い合わせに応じて、第２再生処理にて再生済みの背景映像情報が第２記憶手段にあるか否かを検索し、ある場合には第２映像交換処理を行い、
第２再生処理は、指定された楽曲に対応する楽曲情報を第２楽曲再生手段によって再生すると共に、当該楽曲に対応する背景映像情報を第２映像再生手段によって再生し、
第２映像交換処理は、第１楽曲再生装置との間で再生済みの背景映像情報の交換を行うという技術的手段を採用する。
【０００６】
請求項２に記載の発明では、請求項１に記載の楽音再生システムにおいて、第１映像交換処理は、再生済みの背景映像情報の数が所定数以上であるときに行われるという技術的手段を採用する。
【０００７】
請求項３に記載の発明では、請求項１に記載の楽音再生システムにおいて、第２楽音再生装置を複数備え、
第２処理は、問い合わせ先の第２楽音再生装置に再生済みの背景映像情報がない場合、または、問い合わせ先の第２楽音再生装置との背景映像情報の交換ができない場合は、問い合わせ先を他の第２楽音再生装置に代えて第１処理に戻るという技術的手段を採用する。
【００１２】
【作用】
請求項１ないし請求項３に記載の発明では、楽音再生装置間で背景映像情報の送受信を行うことができる。
したがって、背景映像の送受信を行うことができない楽音再生装置よりも多くの背景映像情報を表示することができる。
これにより、同じ背景映像が表示される確率を低くすることができるため、同じ背景映像が表示されることにより飽きが来る時間を遅らせることができる。
【００１７】
特に、請求項２に記載の発明では、記憶手段に記憶されている背景映像情報の総てが表示される前に予め他の楽音再生装置から背景映像情報を受信しておくことができるため、同じ背景映像が表示される事態を余裕を持って事前に回避できる。
【００１８】
また、請求項３に記載の発明では、他の楽音再生装置から背景映像情報を受信できる確率を高めることができる。
【００１９】
【発明の実施の形態】
以下、本発明の楽音再生システムの一実施形態について図を参照して説明する。
なお、以下の実施形態では、楽音再生システムの一例として、カラオケ装置と、曲データを保有するサーバーとが通信回線により接続されており、サーバーから曲データをカラオケ装置へ送信する、いわゆる通信カラオケシステムを代表に説明する。また、通信カラオケシステムとして、カラオケ装置が設置された部屋を複数有する、いわゆるカラオケボックスを代表に説明する。
【００２０】
まず、本発明第１実施形態のカラオケボックスの主要構成について、それをブロック図で示す図１を参照して説明する。
図１に示すように、本カラオケボックス１は、曲データを受信して再生するカラオケ装置１０が設置されたＡないしＪまでの１０室の部屋２，２・・と、各カラオケ装置１０へ曲データを送信するサーバー８が設置された管理室４とを有する。各部屋のカラオケ装置１０には、ＬＡＮボード５０が備えられており、これらＬＡＮボード５０は、ＬＡＮ回線７によりＨＵＢ３を介してサーバー８に備えられたＬＡＮボード８ｂと接続されている。
つまり、サーバー８は、各カラオケ装置１０からＬＡＮ回線７を介して送信されるリクエスト信号を受信し、そのリクエスト信号により示される選曲番号の曲データをＬＡＮ回線７を介してカラオケ装置１０へ送信する。
【００２１】
また、サーバー８は、通信用モデム８ｃを介して電話回線５ｃにより、各カラオケボックス１のサーバー８へ曲データを送信する、各地域に設置されたサブホストコンピュータ５ａと接続されており、このサブホストコンピュータ５ａは、ＩＳＤＮ（国際標準の通信規格を持った総合デジタル通信網を意味するIntegrated Services Digital Network の略）回線５ｂにより、各地域のサブホストコンピュータ５ａへ曲データを送信するホストコンピュータ５と接続されている。
つまり、曲データは、ホストコンピュータ５から各地域のサブホストコンピュータ５ａへ送信され、サブホストコンピュータ５ａから、そのサブホストコンピュータ５ａが設置されている地域の各サーバー８へ送信される。
【００２２】
次に、カラオケ装置１０の主要構成について、その外観を示す図２を参照して説明する。
図２に示すように、カラオケ装置１０には、歌詞を示す歌詞テロップ、歌詞テロップの背景に表示する背景映像、選曲番号を示す映像などをＣＲＴに表示するモニタテレビ（以下、モニタと略称する）１３と、歌い手用のモニタ１４と、背景映像を示す背景映像情報たる背景映像データが書換可能に記録されたＤＶＤ(Digital Video Disc)−ＲＡＭを再生するとともに、背景映像データをＤＶＤに記録するＤＶＤプレーヤ６とが備えられている。
なお、ＤＶＤ−ＲＡＭとは、ＭＰＥＧ(Moving Picture Experts Group)ビデオ圧縮方式およびＭＰＥＧオーディオ圧縮方式により、データ化された映像データおよび音声データを書換可能に記録するディスクを意味する。
【００２３】
また、カラオケ装置１０には、楽音により構成される楽曲たるカラオケ用の曲（以下、曲と略称する）の選曲および曲の再生の予約を行う選曲制御、選曲された曲の送信要求を示すリクエスト信号のサーバー８への送信、およびリクエスト信号により示される曲に対応する曲データの受信などの通信制御、自己のＤＶＤプレーヤ６に装填されたＤＶＤ−ＲＡＭに記録された背景映像データと他のカラオケ装置１０の背景映像データとをＬＡＮ回線７を介して交換するための制御（背景映像データ交換制御）、モニタ１３，１４に表示される映像の切替え、合成などの映像制御などを行う制御装置（コマンダ）２０が備えられている。
【００２４】
さらに、マイクロフォン１７，１８から入力される音声と曲とのミキシング、音声と曲との音量バランス、エコー調整、ディレイ調整、ミキシング信号の増幅、演奏される曲の音程制御（キーコントロール）、高音、低音の制御（トーンコントロール）などを行うアンプ１６と、このアンプ１６から出力される増幅信号を音として再生するフロアータイプの１組のスピーカ１１，１１と、天井吊下げ用の１組のスピーカ１２，１２と、制御装置２０を遠隔操作する送信器６０とが備えられている。
【００２５】
次に、制御装置２０の装備について図３を参照して説明する。
図３（Ａ）は、制御装置２０の前面パネルの説明図、同図（Ｂ）は、制御装置２０の背面パネルの説明図である。
図３（Ａ）に示すように、制御装置２０の前面パネルには、選曲する曲の選曲番号の入力などを行うための０〜９のボタンからなるテンキー２１と、選曲を確定するための選曲ボタン２２とが設けられており、テンキー２１の上には、選曲された曲の選曲番号を６桁の数字でＬＥＤ表示する選曲番号表示体２３が設けられている。
【００２６】
また、選曲番号表示体２３の左には、演奏が予約されている曲の数をＬＥＤ表示する予約曲数表示体２４が設けられており、その下には、予約の取消を行うための取消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、送信器６０から送信される光信号を受光する受光部３８が設けられており、左下には、制御装置２０の電源を立ち上げる電源ボタン３９が設けられている。
【００２７】
また、テンキー２１の右には、キーを低くするフラットキー２９と、キーを標準にする標準キー３０と、キーを高くするシャープキー３１とが設けられており、それらキーの下には、ボーカルのメロディーラインの音量を設定するボーカルボタン３２と、２コーラス目までを再生する２コーラスカットボタン３３と、曲の後奏部分をカットする後奏カットボタン３４とが設けられている。
さらに、それらボタンの下には、カラオケとＢＧＭ用とを切り替えるカラオケ切替ボタン３５と、ＬＡＮ回線７を介して入力されるデータを曲データから有線放送、テレビ放送などに切り替える入力切替ボタン３６と、モニタ１３，１４の表示をカラオケボックスなどが提供しているサービス情報の表示に切り替えるサービスボタン３７とが設けられている。
【００２８】
また、図３（Ｂ）に示すように、制御装置２０の背面パネルには、ＬＡＮ回線７を接続する通信端子４０が設けられており、この通信端子４０の右方には、アンプ１６の音声入力端子（図示省略）と接続される音声出力端子４１と、モニタ１３の映像入力端子（図示省略）と接続される映像出力端子４２と、モニタ１４の映像入力端子（図示省略）と接続される映像出力端子４３とが設けられている。
【００２９】
次に、上記制御装置２０の制御系の構成について、それをブロック図で示す図４を参照して説明する。
制御装置２０には、上記各種制御をプログラムにしたがって実行するＣＰＵ４４が備えられている。ＣＰＵ４４には、送信器６０から送信されるデータ、選曲された曲の選曲番号を示す選曲番号データ、予約された曲の選曲番号データなどを一時保存するためのＲＡＭ４５と、ＣＰＵ４４により実行されるプログラムなどが記憶されたＲＯＭ４６とが接続されている。
【００３０】
また、ＣＰＵ４４には、ＤＶＤプレーヤ６により読出された背景映像データを一時保存するとともに、他のカラオケ装置１０から送信された背景映像データを一時保存するＲＡＭ４７と、サーバー８から送信される曲データを受信するためのＬＡＮボード５０と、このＬＡＮボード５０により受信された曲データを一時保存するためのＲＡＭ４９と、他のカラオケ装置１０の制御装置２０に設けられたＬＡＮボード５０の通信制御用ＩＣに記憶されたイーサネットアドレスが記憶されたＥＥＰＲＯＭ４８とが接続されている。
【００３１】
さらに、ＣＰＵ４４には、タイマ５３のカウントにしたがって曲データに含まれるＭＩＤＩデータをＭＩＤＩ音源５４へ書き込む制御を行うシーケンサ５２と、ＭＩＤＩ音源５４から出力される音源信号を入力してアンプ１６により増幅可能な信号に変換する音声制御回路５１が接続されている。また、ＣＰＵ４４には、ＤＶＤプレーヤ６から読出された背景映像データおよびＲＡＭ４９から読出された曲データに含まれる歌詞テロップデータを入力し、モニタ１４の表示画面を説明する図１２に示すように、背景映像２００中に歌詞テロップ２０２がスーパーインポーズされた映像を作成したり、曲の進行にしたがって歌詞テロップ２０２の色を変えたりする映像制御を行う映像制御回路５４が接続されている。
【００３２】
また、ＣＰＵ４４には、受光部３８により受光された光信号をデジタル信号に変換する変換回路５５と、制御装置２０の前面パネルに設けられた各種ボタンを押したときに点灯するＬＥＤ、選曲番号表示体２３および予約曲数表示体２４へ表示信号を出力する表示回路５６と、上記各種ボタンを押したときに発生するスイッチング信号を入力する入力回路５７とが接続されている。
ところで、音声制御回路５１、シーケンサ５２、タイマ５３、音声出力端子４１、アンプ１６、スピーカ１１，１１およびスピーカ１２，１２が、本発明の楽曲情報再生手段に相当し、映像制御回路５４、映像出力端子４２，４３およびモニタ１３，１４が、映像表示手段に相当する。また、ＤＶＤプレーヤ６が、本発明の背景映像情報記憶手段に相当し、ＨＵＢ３、ＬＡＮ回線７およびＬＡＮボード５０が、通信手段に相当する。
【００３３】
次に、送信器６０の構成についてその外観を示す図５を参照して説明する。
送信器６０の上方には、選曲番号をバックライト付きの液晶で表示する選曲番号表示部６１が設けられており、その下には、制御装置２０のカラオケ切替ボタン３５と同じ作用をするカラオケ切替ボタン６２と、制御装置２０の入力切替ボタン３６と同じ作用をする外部映像ボタン６３と、サーバー８が用意しているテレビゲームを行う状態に切替えるゲームボタン６４とが設けられている。
【００３４】
また、それらボタンの下には、曲間や曲の演奏終了後に拍手や歓声の音を再生するように設定するための拍手ボタン６５と、制御装置２０と同じフラットキー６６と、シャープキー６６とが設けられており、それらの下には、制御装置２０と同じテンキー６８と、選曲ボタン６９と、演奏停止ボタン７０と、歌い直しボタン７１と、取り消しボタン７２と、割り込みボタン７３とが設けられている。さらに、割り込みボタン７３の右には、ボーカルメロディーの音量を小さくするマイナスボタン７４と、音量を大きくするプラスボタン７５とが設けられている。
【００３５】
次に、曲データの構成、他のカラオケ装置１０との間で背景映像データを送受信する際に用いられる各種信号の構成について、図６を参照して説明する。
なお、以下の記述では、説明の都合上、Ａ室のカラオケ装置１０をカラオケ装置Ａ、Ｂ室のカラオケ装置１０をカラオケ装置Ｂと称する。
図６（Ａ）は、曲データの構成を示す説明図であり、曲データ８０は、曲の演奏部分を示すＭＩＤＩデータ８２、歌詞テロップデータ８４、曲ジャンルを特定するジャンルデータ８６などから構成される。
【００３６】
図６（Ｂ）は、カラオケ装置Ａからカラオケ装置Ｂに対して背景映像データの送信要求を行う際に、カラオケ装置Ａからカラオケ装置Ｂへ送信される送信要求信号たる交換信号の構成を示す説明図であり、交換信号９０は、送信先であるカラオケ装置Ｂのイーサネットアドレスを示す送信先イーサネットアドレスデータ９２、交換信号であることを示す交換信号データ９４、送信元であるカラオケ装置Ａのイーサネットアドレスを示す送信元イーサネットアドレスデータ９６などから構成される。
【００３７】
図６（Ｃ）は、カラオケ装置Ｂがカラオケ装置Ａから送信された交換信号を受信し、自己のＤＶＤプレーヤ６に送信可能な背景映像データが記憶されているかを検索した際に、カラオケ装置Ａへ送信される検索結果信号の構成を示す説明図であり、検索結果信号１００は、送信先であるカラオケ装置Ａの送信先イーサネットアドレスデータ１０２、検索結果を示す検索結果データ１０４、送信元でるカラオケ装置Ｂの送信元イーサネットアドレスデータ１０６などから構成される。
【００３８】
図６（Ｄ）は、カラオケ装置Ａからカラオケ装置Ｂへ送信される送信データの構成を示す説明図であり、送信データ１１０は、送信先であるカラオケ装置Ｂの送信先イーサネットアドレスデータ１１２、カラオケ装置Ａに備えられたＤＶＤプレーヤ６により既に再生された背景映像データを示す再生済背景映像データ１１４、送信元であるカラオケ装置Ａの送信元イーサネットアドレスデータ１１６などから構成される。
【００３９】
図６（Ｅ）は、カラオケ装置Ｂからカラオケ装置Ａへ送信される送信データの構成を示す説明図であり、送信データ１２０は、送信先であるカラオケ装置Ａの送信先イーサネットアドレスデータ１２２、カラオケ装置Ｂに備えられたＤＶＤプレーヤ６により既に再生された背景映像データを示す再生済背景映像データ１２４、送信元であるカラオケ装置Ｂの送信元イーサネットアドレスデータ１２６などから構成される。
【００４０】
次に、カラオケ装置Ａおよびカラオケ装置Ｂに備えられたＤＶＤプレーヤ６に装填されたＤＶＤ−ＲＡＭディスクの記憶内容について、それを模式的に示す図７を参照して説明する。
図７（Ａ）に示すように、カラオケ装置ＡのＤＶＤプレーヤ６に装填されたＤＶＤ−ＲＡＭ１３０には、Ａ１ないしＡ８の計８個の背景映像データが記憶されており、カラオケ装置ＢのＤＶＤプレーヤ６に装填されたＤＶＤ−ＲＡＭ１４０には、Ｂ１ないしＢ８の計８個の背景映像データが記憶されている。また、各背景映像データのうち、ＤＶＤプレーヤ６により既に再生された再生済みの背景映像データには、フラグ「１」が立てられており、そのフラグの総数Ｎが記憶されている。図７（Ｂ）は、背景映像データの交換後の記憶内容を示す。
【００４１】
次に、カラオケ装置１０の一連の動作について、ＣＰＵ４４により実行される処理内容を示す図８のフローチャートを参照して説明する。
まず、カラオケ装置１０の利用者が、制御装置２０の電源ボタン３９を押して制御装置２０の電源を立ち上げると、それに連動して、ＤＶＤプレーヤ６、アンプ１６およびモニタ１３，１４の電源が立ち上がる。そして、送信器６０の選曲番号に対応するテンキー６８を押すと、その押す毎にテンキー６８に対応する数字が選曲番号表示部６１，２３に順次表示される。
続いて、最後の数字のテンキー６８を押してから選曲ボタン６９を押すと、選曲が終了したと判定され（ステップ１０）、その選曲された曲の曲データ８０の送信を要求するリクエスト信号がＬＡＮ回線７を介してサーバー８へ送信される（ステップ２０）。
【００４２】
そして、サーバー８は、自己の図示しないハードディスクドライブユニットから上記リクエスト信号に示される選曲番号に対応する曲データ８０を検索して読出し、その読出された曲データ８０は、ＬＡＮ回線７を介して制御装置２０により受信され、ＲＡＭ４９に一時格納される（ステップ３０）。続いて、ＲＡＭ４９から曲データ８０が読出され、ＤＶＤプレーヤ６により、曲データ８０に含まれるジャンルデータ８６に対応するジャンルの背景映像データの中から、１つの背景映像データが選択され、後述する背景映像交換処理が実行される（ステップ４０）。ここでは、図７に示すように、カラオケ装置Ａは、背景映像データＡ２を選択し、カラオケ装置Ｂは、背景映像データＢ５を選択したものとする。
【００４３】
上記選択された背景映像データは、ＤＶＤプレーヤ６により再生され、この再生された背景映像データを示す背景映像信号は、映像制御回路５４によりモニタ１３，１４に表示可能な背景映像信号に変換され、図１２に示すように、モニタ１３，１４に背景映像２００として表示される（ステップ３００）。また、曲データ８０に含まれる歌詞テロップデータ８４は、映像制御回路５４に入力され、モニタ１３，１４に表示可能な歌詞テロップ信号に変換され、図１２に示すように、モニタ１３，１４に歌詞テロップ２０２として表示される（ステップ３１０）。
つまり、図１２に示すように、モニタ１３，１４には、背景映像２００の中に歌詞テロップ２０２がスーパーインポーズされる形で表示される。
【００４４】
一方、曲データ８０に含まれるＭＩＤＩデータ８２０は、シーケンサ５２に取り込まれ、タイマ５３のカウントにしたがってＭＩＤＩ音源５４に書き込まれる。そして、ＭＩＤＩ音源５４から出力される音源信号は、音声制御回路５１へ出力され、アンプ１６により増幅可能な音楽信号に変換される。
この変換された音楽信号は、音声出力端子４１からアンプ１６の音声入力端子へ出力されるとともに、増幅された後にスピーカ１１，１１およびスピーカ１２，１２へ出力され、両スピーカによって再生される（ステップ３１０）。
【００４５】
つまり、利用者は、自分の選んだ曲をモニタ１３，１４の画面に映し出された背景映像２００および歌詞テロップ２０２を見ながらマイクロフォン１７，１８を通して歌う（カラオケする）ことができる。
そして、曲の再生が終了し（ステップ３２０）、予約された選曲番号データがＲＡＭ４５に記憶されている場合には（ステップ３３０）、その選曲番号データが読出され（ステップ３４０）、上記ステップ１０ないしステップ３４０が実行される。
【００４６】
次に、本カラオケボックス１の特徴である背景映像交換処理（ステップ４０）について、その処理内容を示す図９のフローチャートを参照して説明する。
図９において、左側のフローチャートは、カラオケ装置ＡのＣＰＵ４４により実行される背景映像交換処理の内容を示し、右側のフローチャートは、カラオケ装置ＢのＣＰＵ４４により実行される背景映像交換処理の内容を示す。
なお、ここでは、カラオケ装置Ａとカラオケ装置Ｂとの間で背景映像データを交換するものとする。また、その交換は、カラオケ装置Ａおよびカラオケ装置Ｂが、ＬＡＮ回線７を介して通信を行っていない間に実行される。
【００４７】
まず、背景映像データが選択されると（ステップ５０）、自己のＤＶＤプレーヤ６に再生済背景映像データが存在するかを検索する（ステップ６０）。ここでは、図７に示すように、背景映像データＡ２が再生済であるため、ステップ７０では肯定判定され、交換信号９０をカラオケ装置Ｂへ送信する（ステップ８０）。すると、カラオケ装置ＢのＣＰＵ４４は、交換信号９０の受信を検出し（ステップ２００）、自己のＤＶＤプレーヤ６に再生済背景映像データが存在するかを検索する（ステップ２１０）。ここでは、図７に示すように、背景映像データＢ５が再生済であるため、ステップ２２０では肯定判定され、ＤＶＤプレーヤ６により背景映像データＢ５を読出し、ＲＡＭ４７に一時格納する（ステップ２３０）。
【００４８】
そして、再生済背景映像データが存在することを示す検索結果信号１００をカラオケ装置Ａへ送信し（ステップ２４０）、カラオケ装置Ａは、検索結果信号１００を受信する（ステップ９０）。続いて、その受信した検索結果信号１００が、再生済背景映像データが存在することを示すものであるため、ステップ１００では肯定判定され、自己のＤＶＤプレーヤ６により再生済背景映像データＡ２を読出し（ステップ１１０）、その読出した再生済背景映像データＡ２を送信信号１１０に含めてカラオケ装置Ｂへ送信する（ステップ１２０）。
【００４９】
続いて、カラオケ装置Ｂは、送信信号１１０を受信し（ステップ２５０）、自己のＤＶＤ−ＲＡＭ１４０に保存する（ステップ２６０）。続いて、ＲＡＭ４７に一時保存されている再生済背景映像データＢ５を送信信号１２０に含めてカラオケ装置Ａへ送信し（ステップ２７０）、カラオケ装置Ａは、送信信号１２０を受信し（ステップ１３０）、自己のＤＶＤ−ＲＡＭ１３０に保存する（ステップ１４０）。
これにより、図７（Ｂ）に示すように、カラオケ装置ＡのＤＶＤ−ＲＡＭ１３０には、再生済背景映像データＢ５が記憶され、カラオケ装置ＢのＤＶＤ−ＲＡＭ１４０には、再生済背景映像データＡ２が記憶される。
つまり、カラオケ装置Ａとカラオケ装置Ｂとの間で、再生済背景映像データの交換を行うことができる。
たとえば、両カラオケ装置間で総ての再生済背景映像データを交換した場合には、８種類×２＝１６種類の背景映像をモニタ１３，１４に表示できる。
【００５０】
以上のように、本第１実施形態のカラオケボックスによれば、カラオケ装置Ａとカラオケ装置Ｂとの間で再生済の背景映像データを交換することができる。
したがって、モニタ１３，１４に表示できる背景映像の種類を増加することができるため、背景映像データの交換を行わないものよりも、同じ背景映像が表示される確率を低くすることができる。これにより、歌う曲数が多くなるにつれて同じ背景映像が表示される頻度が低くなるため、飽きが来て、場の盛り上がりが低下するという事態を回避できる。
【００５１】
次に、本発明第２実施形態のカラオケボックスについて、ＣＰＵ４４の処理内容を示す図１０を参照して説明する。
本第２実施形態のカラオケボックスは、再生済の背景映像の数が所定数に達した際に、他のカラオケ装置との間で再生済背景映像データを交換できることを特徴とする。
なお、カラオケ装置１０の主要構成は、第１実施形態のものと同じであるため説明を省略する。また、図９に示した、カラオケ装置ＡのＣＰＵ４４により実行されるステップ７０ないしステップ１４０、およびカラオケ装置ＢのＣＰＵ４４により実行されるステップ２００ないしステップ２７０は、本第２実施形態において同じであるため、図１０への図示および説明を省略する。
【００５２】
まず、背景映像データが選択されると（ステップ５０）、再生済背景映像データのフラグの総数を示すＮに「１」が加算され（ステップ５２）、その加算値Ｎが「６」以上になったかが判定される（ステップ５４）。ここで、加算値Ｎが「６」以上にならなかった場合には、ステップ５０へ戻り、次の背景映像データが選択されるのを待機する。また、加算値Ｎが「６」以上になった場合には、再生済背景映像データを検索し（ステップ６０）、ステップ７０以降の再生済背景映像データ交換のための処理を実行する。
つまり、加算値Ｎが「６」以上になるまでは、カラオケ装置Ｂとの間で背景映像データの交換を行わない。
【００５３】
以上のように、本第２実施形態のカラオケボックス１によれば、ＤＶＤ−ＲＡＭに記憶されている背景映像データの総てが再生される前に、予めカラオケ装置Ｂから再生済背景映像データを受信しておくことができるため、同じ背景映像が表示される事態を余裕を持って事前に回避できる。
【００５４】
次に、本発明第３実施形態のカラオケボックスについて、ＣＰＵ４４の処理内容を示す図１１を参照して説明する。
本第３実施形態のカラオケボックスは、交換信号を送信したカラオケ装置が、再生済背景映像データを送信できない状態にある場合に、再生済背景映像データを送信可能なカラオケ装置を検索し、そのカラオケ装置との間で再生済背景映像データを交換できることを特徴とする。
なお、カラオケ装置１０の主要構成は、第１実施形態のものと同じであるため説明を省略する。また、図９に示した、カラオケ装置ＡのＣＰＵ４４により実行されるステップ５０ないしステップ８０、およびカラオケ装置ＢのＣＰＵ４４により実行されるステップ２００ないしステップ２７０は、本第３実施形態において同じであるため説明を省略し、ステップ１２０ないしステップ１４０、およびステップ２００ないしステップ２７０の図１０への図示を省略する。
【００５５】
まず、ステップ９０において受信された検索結果信号１００が、カラオケ装置Ｂに再生済背景映像データが存在することを示すものでない場合には（ステップ１００）、交換信号９０を送信するカラオケ装置を変更する（ステップ１０２）。
つまり、カラオケ装置Ｂには、再生済背景映像データが存在しない場合や、カラオケ装置Ｂが起動していない場合などの状況にあっては、カラオケ装置Ｂとの間で再生済背景映像データを交換できないため、カラオケ装置Ｂ以外のカラオケ装置との間で再生済背景映像データを交換する。
【００５６】
交換信号の送信先の変更は、交換信号９０を構成する送信先イーサネットアドレスデータ９２をカラオケ装置Ｂのイーサネットアドレスを示すイーサネットアドレスデータから、Ｃ室ないしＪ室の中のいずれかの部屋のカラオケ装置のイーサネットアドレスを示すイーサネットアドレスデータに書換えることにより行う。各部屋のカラオケ装置のイーサネットアドレスデータは、前述のように、ＲＡＭ４５に記憶されているため、ＲＡＭ４５からカラオケ装置Ｂのイーサネットアドレスデータ以外の１つのイーサネットアドレスデータを読出して書換える。
【００５７】
そして、上記変更は、ステップ１００において、肯定判定されるまで繰り返し行われ、ステップ１００において、肯定判定された場合に、上記変更後のカラオケ装置との間で再生済背景映像データの交換を行う。カラオケ装置Ａ自体に再生済背景映像データが存在しない場合には、ステップ７０で否定判定されるため、他のカラオケ装置との間で再生済背景映像データの交換は、行うことができない。
【００５８】
以上のように、本第３実施形態のカラオケボックスによれば、交換信号を送信したカラオケ装置が、再生済背景映像データを送信できない状態であっても、再生済背景映像データを送信可能なカラオケ装置を検索し、そのカラオケ装置との間で再生済背景映像データを交換できる。
したがって、他の楽音再生装置から背景映像情報を受信できる確率を高めることができるため、モニタ１３，１４に表示できる背景映像の種類を可能な限り増加することができる。
【００５９】
たとえば、Ｂ室ないしＪ室の総てのカラオケ装置との間で再生済背景映像データの交換を実行することにより、８種類×９＝７２種類の背景映像をカラオケ装置Ａのモニタ１３，１４に表示できる。これにより、同じ背景映像が表示される確率をより一層低くすることができるため、同じ背景映像が表示されることにより、利用者に飽きが来る時期をより一層遅らせることができる。
【００６０】
なお、上記各実施形態では、各カラオケ装置が、それぞれ総て異なる背景映像データを有する場合を説明したが、一部に共通する同じ背景映像データを有する場合であっても、それら共通の背景映像データには、再生された場合でもフラグを立てないようにしておくことにより、同じ背景映像データを交換されてしまうのを防止できる。
【００６１】
また、上記背景映像データの交換を行うための制御は、サーバー８に備えられたＣＰＵ８ａに実行させることもできる。この場合、ＣＰＵ８ａは、各カラオケ装置により再生された背景映像の種類を図示しない記憶装置に記憶し、その記憶されたデータに基づいて、交換信号を送信するカラオケ装置および交換信号を受信するカラオケ装置を指定し、それらカラオケ装置間で背景映像データの交換を実行させる。
さらに、上記各実施形態では、本発明の楽音再生システムとしてカラオケボックスを代表に説明したが、レジャーホテルにおいて用いられるカラオケシステムは勿論、カラオケボックス間、カラオケ装置が設置されたスナック間などで通信回線を介して適用することもできる。
【００６２】
ところで、ＣＰＵ４４により実行されるステップ１００ないしステップ２４０が、本発明の背景映像情報送信手段として機能し、ステップ２６０が、背景映像情報受信手段として機能する。また、ステップ１２０が、本発明の背景映像情報検索手段として機能し、ステップ１６０が、送信要求信号送信手段として機能する。さらに、ステップ１０２が、本発明の演算手段として機能し、ステップ２０２が、送信要求信号再送信手段として機能する。
【００６３】
【発明の効果】
以上のように、本発明によれば、他の楽音再生装置に備えられた背景映像情報記憶手段に記憶された背景映像情報を通信手段を介して受信し再生することにより、再生できる背景映像情報の数を増加させることができる楽音再生システムを実現することができる。
【図面の簡単な説明】
【図１】  本発明実施形態のカラオケボックスの主要構成を示すブロック図である。
【図２】  本発明実施形態のカラオケ装置の外観説明図である。
【図３】  （ａ）は、カラオケ装置に備えられた制御装置の前面パネルの説明図であり、（ｂ）は、制御装置の背面パネルの説明図である。
【図４】  制御装置の制御系の構成を示すブロック図である。
【図５】  カラオケ装置に備えられた送信器の説明図である。
【図６】  （Ａ）は、曲データの構成を示す説明図であり、（Ｂ）は、カラオケ装置Ａからカラオケ装置Ｂへ送信される交換信号の構成を示す説明図であり、（Ｃ）は、カラオケ装置Ｂからカラオケ装置Ａへ送信される検索結果信号の構成を示す説明図であり、（Ｄ）は、カラオケ装置Ａからカラオケ装置Ｂへ送信される送信データの構成を示す説明図であり、（Ｅ）は、カラオケ装置Ｂからカラオケ装置Ａへ送信される送信データの構成を示す説明図である。
【図７】  （Ａ）は、カラオケ装置Ａおよびカラオケ装置ＢのＤＶＤプレーヤ６に装填されたＤＶＤ−ＲＡＭの記憶内容を模式的に示す説明図であり、（Ｂ）は、背景映像データの交換後の記憶内容を示す説明図である。
【図８】  選曲から曲データが再生されるまでのＣＰＵ４４のメインルーチンを示すフローチャートである。
【図９】  本発明第１実施形態のステップ４０で実行される背景映像交換処理の内容を示すフローチャートである。
【図１０】  本発明第２実施形態の背景映像交換処理の内容を示すフローチャートである。
【図１１】  本発明第３実施形態の背景映像交換処理の内容を示すフローチャートである。
【図１２】  モニタ１４に表示される背景映像および歌詞テロップ映像の説明図である。
【符号の説明】
１          カラオケボックス
６          ＤＶＤプレーヤ
７          ＬＡＮ回線
８          サーバー
１０          カラオケ装置
１１，１２    スピーカ
１３，１４    モニタ
１６          アンプ
１７，１８    マイク
２０          制御装置
４４          ＣＰＵ
【図１】
0003872854.tif 000002
【図２】
0003872854.tif 000003
【図３】
0003872854.tif 000004
【図４】
0003872854.tif 000005
【図５】
0003872854.tif 000006
【図６】
0003872854.tif 000007
【図７】
0003872854.tif 000008
【図８】
0003872854.tif 000009
【図９】
0003872854.tif 000010
【図１０】
0003872854.tif 000011
【図１１】
0003872854.tif 000012
【図１２】
0003872854.tif 000013